(57)【要約】【課題】まぐさとケース入口部との間の僅かな空間に配設可能な開閉体案内装置を提供する。【解決手段】  開閉体案内装置は、開口部の端部に設けられた出入口部から案内手段に沿って繰り出されることによって開口部を仕切る開閉体手段の開口部面側が案内手段に接触しないように開閉体手段の開口部面側を案内するものであり、出入口部と開閉体手段との対向する空間上に配設されるように構成されている。開閉体案内装置は、２段ローラが２列分設けられており、それぞれの回転軸がずれているので、比較的小さなローラを用いることができ、小型化を実現したものである。このような開閉体案内装置を開閉体手段の出入口部の空間に配設している。【選択図】図２
2006200161.tif 000002
【特許請求の範囲】
【請求項１】
開口部の端部に設けられた出入口部から案内手段に沿って繰り出されることによって前記開口部を仕切る開閉体手段の前記開口部面側が前記案内手段に接触しないように前記開閉体手段の前記開口部面側を案内する開閉体案内装置であって、前記出入口部と前記開閉体手段との対向する空間上に配設されるように構成されたことを特徴とする開閉体案内装置。
【請求項２】
請求項１に記載された開閉体案内装置は、前記開閉体手段の前記開口部面側に接触することによって回転できるように設けられた複数のコロ手段から構成され、前記複数のコロ手段は前記開閉体手段の繰り出し方向に沿って少なくとも２列分設けられ、前記複数のコロ手段の回転軸がそれぞれ前記開閉体手段の繰り出し方向に対して互いにずれた位置に設けられていることを特徴とする開閉体案内装置。
【請求項３】
開口部の端部に設けられた出入口部から繰り出されることによって前記開口部を仕切る開閉体手段と、
前記開閉体手段の繰り出し動作を案内する案内手段と、
前記開閉体手段の前記開口部面側が前記案内手段に接触しないように前記開閉体手段の前記開口部面側を案内する開閉体案内手段であって、前記開閉体手段の前記出入口部と前記開閉体手段との対向する空間上に配設された開閉体案内手段と
を備えたことを特徴とする開閉体装置。
【請求項４】
請求項３に記載された開閉体装置において、
前記開閉体手段が前記開閉体手段の前記出入口部に収納された状態で、前記開閉体案内手段と接触することによって、前記開閉体手段の前記出入口部と前記開閉体手段との対向する空間のほぼ中央付近に位置するように前記開閉体手段を案内する案内板手段を前記開閉体手段の閉鎖側端部材近傍に備えたことを特徴とする開閉体装置。
【請求項５】
請求項４に記載された開閉体装置において、
前記開閉手段と共に移動して前記開閉手段の状態を検出し、その検出信号を出力する検出手段と、
前記検出信号に基づいて前記開閉手段の状態を認識する制御手段と、
前記検出手段で検出された前記検出信号を前記制御手段に伝達する配線手段とを備え、
前記案内板手段は、前記配線手段と前記開閉体案内手段とが接触するのを防止するように配設されることを特徴とする開閉体装置。
【発明の詳細な説明】
【技術分野】
【０００１】
本発明は、住宅、ビル、工場、倉庫、地下街などの建物や車両の荷台等を含む構造物躯体の開口部に設置されるシャッターカーテンなどの開閉部材の開閉を案内する開閉体案内装置及び開閉体装置に関する。
【背景技術】
【０００２】
ビル、工場、倉庫などの建物を含む構造物躯体の開口部に設置されるシャッターカーテンなどの開閉部材からなる開閉体装置には、その開閉動作時にケースの入口部から開閉部材の巻芯へ、また逆にケースからガイドレールへ、開閉部材を円滑に案内するために、まぐさの上側であってケースの入口部付近に２段構成のローラからなる開閉体案内装置が設けられている。このような開閉体案内装置は、特許文献１に記載されている。
【特許文献１】実開平２−４９４９８号公報
【発明の開示】
【発明が解決しようとする課題】
【０００３】
従来の開閉体案内装置は、ガイドレールの上側であってケースの入口部に設けられた２段ローラで構成され、この２段ローラは、スラットカーテンの連結用カール部の間に入り込まないようにするために、２段ローラのそれぞれの軸間隔が隣接する連結用カール部のピッチと同等以上になるように設計されている。すなわち、案内装置すなわち２段ローラの回転部の寸法（直径等）がスラットカーテンのピッチと同等又はそれ以上の比較的大きなもので構成されている。
【０００４】
従って、従来は、開閉体案内装置（２段ローラ）をまぐさとケース入口部との間に設けているので、その分の収容可能な空間が必要であり、開閉体装置全体のコンパクト化が困難であった。仮に開閉体案内装置を省略してコンパクト化を優先させた場合、スラットカーテンとガイドレールとが接触してしまい、磨耗によってその耐久性能を十分に確保することが困難であった。
【０００５】
本発明は、上述の点に鑑みてなされたものであり、まぐさとケース入口部との間の僅かな空間に配設可能な開閉体案内装置及びこれを用いた開閉体装置を提供することを目的とする。
【課題を解決するための手段】
【０００６】
本発明の開閉体案内装置の第１の特徴は、開口部の端部に設けられた出入口部から案内手段に沿って繰り出されることによって前記開口部を仕切る開閉体手段の前記開口部面側が前記案内手段に接触しないように前記開閉体手段の前記開口部面側を案内する開閉体案内装置であって、前記出入口部と前記開閉体手段との対向する空間上に配設されるように構成されたことにある。
従来、開閉体案内装置は、２段ローラのそれぞれの軸間隔が隣接する連結用カール部のピッチと同等以上となるように構成されていたので、ローラ自体が比較的大きくなり、開閉体手段の出入口部の空間に配設することは困難であった。そこで、この発明のように、２段ローラを２列分設け、それぞれの回転軸をずらすことによって比較的小さなローラを用いて小型化を実現することができるようになったので、このような開閉体案内装置を開閉体手段の出入口部の空間に配設するようにした。
【０００７】
本発明の開閉体案内装置の第２の特徴は、前記第１の特徴に記載された開閉体案内装置が、前記開閉体手段の前記開口部面側に接触することによって回転できるように設けられた複数のコロ手段から構成され、前記複数のコロ手段は前記開閉体手段の繰り出し方向に沿って少なくとも２列分設けられ、前記複数のコロ手段の回転軸がそれぞれ前記開閉体手段の繰り出し方向に対して互いにずれた位置に設けられていることにある。
これは、開閉体案内装置の具体的な構成を示すものであり、開閉体手段の開口部面側に接触するコロ手段を少なくとも２列分設け、それぞれの回転軸をずらすことによって小型化を実現したものである。
【０００８】
本発明の開閉体装置の第１の特徴は、開口部の端部に設けられた出入口部から繰り出されることによって前記開口部を仕切る開閉体手段と、前記開閉体手段の繰り出し動作を案内する案内手段と、前記開閉体手段の前記開口部面側が前記案内手段に接触しないように前記開閉体手段の前記開口部面側を案内する開閉体案内手段であって、前記開閉体手段の前記出入口部と前記開閉体手段との対向する空間上に配設された開閉体案内手段とを備えたことにある。
この開閉体装置は、前述の開閉体案内装置のように小型化された開閉体案内手段を開閉体手段の出入口部の空間に配設したものである。
【０００９】
本発明の開閉体装置の第２の特徴は、前記開閉体装置の第１の特徴に記載された開閉体装置において、前記開閉体手段が前記開閉体手段の前記出入口部に収納された状態で、前記開閉体案内手段と接触することによって、前記開閉体手段の前記出入口部と前記開閉体手段との対向する空間のほぼ中央付近に位置するように前記開閉体手段を案内する案内板手段を前記開閉体手段の閉鎖側端部材近傍に備えたことにある。
これは、開閉体案内手段を開閉体手段の出入口部の空間に配設しているので、この開閉体案内手段を開閉体手段を出入口部のほぼ中央付近に位置させるための位置調整手段として利用するようにしたものである。
【００１０】
本発明の開閉体装置の第３の特徴は、前記開閉体装置の第２の特徴に記載された開閉体装置において、前記開閉手段と共に移動して前記開閉手段の状態を検出し、その検出信号を出力する検出手段と、前記検出信号に基づいて前記開閉手段の状態を認識する制御手段と、前記検出手段で検出された前記検出信号を前記制御手段に伝達する配線手段とを備え、前記案内板手段は、前記配線手段と前記開閉体案内手段とが接触するのを防止するように配設されることにある。
これは、開閉体手段を出入口部のほぼ中央付近に位置させるための位置調整手段として利用される案内板手段を、開閉手段の状態などを検出する検出手段の検出信号を伝達する配線手段に開閉体案内手段が接触しないように保護する部材として兼用するようにしたものである。
【発明の効果】
【００１１】
本発明の開閉体案内装置及び開閉体装置によれば、まぐさとケース入口部との間の僅かな空間に配設でき、スラットとガイドレールとが接触しないように開閉体を案内することができるという効果がある。
【発明を実施するための最良の形態】
【００１２】
以下添付図面に従って本発明に係る開閉体案内装置及び開閉体装置の好ましい実施の形態について説明する。この実施の形態では開閉体装置として上下に開閉制御されるシャッター装置を例に説明する。
【００１３】
図１は、本発明に係るシャッター装置の概略構成を示す図である。このシャッター装置は、建物の開口部に設けられるものであり、基本的にシャッターケース１、開閉手段であるシャッターカーテン２、ガイドレール３，４、巻取シャフト５、チェーン６、モータなどの開閉機７、制御装置８及び開閉体案内装置３５，３６などから構成される。
【００１４】
ガイドレール３，４は、シャッターカーテン２の両端部を案内するように建物の開口部の両端側に設けられ、まぐさ部９から床面２１まで掛け渡された断面形状が略コの字型の案内溝を有する部材で構成されている。シャッターカーテン２は、このガイドレール３，４の各案内溝に沿って上昇下降し、開口部の開閉動作を行う。巻取りシャフト５は、シャッターケース１内に回動可能に設けられ、シャッターカーテン２を巻き取ったり巻き戻したりする。チェーン６は、開閉機７の回転軸に設けられた主動スプロケットと巻取りシャフト５の回転軸に設けられた従動スプロケットとを連結している。従って、開閉機７の回転駆動力はチェーン６を介して巻取りシャフト５側に伝達され、開閉機７が回転すると、チェーン６を介して巻取りシャフト５が回転し、シャッターカーテン２の開閉動作が制御されるようになっている。
【００１５】
制御装置８は、図示していない電源ラインを介して電力の供給を受けている。制御装置８は、図示していない操作スイッチ上の各操作ボタンの操作状態に対応した制御信号に基づいて直接的に、あるいは、例えば、火災時等の防災用の制御信号などに基づいて間接的に開閉機７の回転を制御したり、障害物検出装置からの検出信号に基づいて開閉機７の回転を制御して障害物回避動作としてシャッターカーテン２の下降動作を停止させるなどの動作を制御する。なお、下降動作を停止させるだけでなく、検出信号が出力されなくなるようにシャッターカーテン２を上昇動作させるように制御してもよく、その他の動作、例えば停止させず下降速度を減少させる等の動作を行わせるように制御してもよい。
【００１６】
開閉体案内装置３５，３６は、シャッターカーテン２の出入口部となるまぐさ部９とシャッターカーテン２との対向する空間上に設けられ、シャッターカーテン２の開口部面側がガイドレール３，４に接触しないように案内している。この開閉体案内装置３５，３６の詳細については後述する。
【００１７】
図２は、図１を開口面の垂直方向から見てその一部分を拡大して示した正面図であり、シャッターカーテンを点線で、障害物検出装置の配線関係を一点鎖線でそれぞれ示している。図３は、図２を右側から見た側面図であり、シャッターカーテンと開閉体案内装置との位置関係を示している。
【００１８】
障害物検出装置は、基本的に障害物の検出手段である座板スイッチ１０と、配線手段であるコード１１ａ〜１１ｃ、固定誘導手段となる固定プーリ１８ａ、可動誘導手段となる可動プーリ１８ｂ及び錘手段となるチェーン型ウェイト１９からなる配線取回し手段とから構成される。
【００１９】
座板スイッチ１０は、シャッターカーテン２の閉鎖先端側である下方部に設けられる。座板スイッチ１０は、公知のものなのでここではその詳細な説明は省略するが、基本的には上座板１００と、この上座板１００に対して上下移動可能に保持された下座板１０１と、下座板１０１に取り付けられた押圧部１０２と、下座板１０１（すなわち押圧部１０２）の上下移動に伴って回転部１０３が回転し、それによってマイクロスイッチ１０５をオン／オフ動作させるように構成されている。すなわち、座板スイッチ１０は、下座板１０１が障害物に接触し、上方向に移動することによって、マイクロスイッチ１０５がオン状態となり障害物を検出したことを示す検出信号を出力するものである。
【００２０】
コード１１ａ〜１１ｃは、座板スイッチ１０からの検出信号を制御装置８に伝達する配線手段である。コード１１ａは、座板スイッチ１０の上昇下降に沿った方向と所定の角度をなすように配線されている。すなわち、ガイドレール３，４に対して所定の角度（床面２１に対しても所定の角度）をなすように設けられている。
【００２１】
コード１１ａの先端に設けられたコネクタ１１ｄは、コードをコロ当て板部材３０に設けられた２箇所のコードガイド切欠き部３１，３２に通過させて、コロ当て板部材３０とシャッターカーテン２との間の空間に収納される。なお、この切欠き部３１，３２にゴムブッシュを設けてコードを保護してもよい。コネクタ１１ｄは、マイクロスイッチ１０５に接続されているコード１０６のコネクタに、コロ当て板部材３０とシャッターカーテン２との間の空間内で接続される。なお、コードを別途部材でガイドできる場合等にはコードガイド切欠き部３１，３２は省略してもよい。また、図では、コロ当て板部材３０は、閉鎖側端部材近傍にのみ設けられているが、押しコロの設置位置に応じて、コロ当て板部材３０をシャッターカーテンの開閉方向中間部やさらに開放側に設けてコードが押しコロに接触しないように保護してもよい。
【００２２】
マイクロスイッチ１０５に接続されているコード１０６は、このコロ当て板部材３０とシャッターカーテン２との間の空間内に導入されて、コネクタを介してコネクタ１１ｄに接続されている。コロ当て板部材３０は、ボルトやネジやリベット等の固定具４０ａ，４０ｂによってシャッターカーテン２に一体として固定されている。なお、このコロ当て板部材３０の隣接する位置であって、エマーゼンシースイッチ（図示せず）対向する位置にはタッチプレート（図示せず）が同じくボルトやネジやリベット等の固定具によってシャッターカーテン２に一体として固定されている。
【００２３】
固定プーリ１８ａは、コード１１ａをガイドレール３の長手方向に平行な方向のコード１１ｂに変換する。可動プーリ１８ｂは、コード１１ｂをガイドレール３の長手方向に平行な方向であってコード１１ｂとは逆向きのコード１１ｃに方向変換して屈曲し、コード固定板２０を介して制御装置８に導入する。
【００２４】
チェーン型ウェイト１９は、コード１１ａ〜１１ｃに一定の引っ張り力を供給するものである。可動プーリ１８ｂとチェーン型ウェイト１９は、ネジやリベット等の固定具によって一体として接続（連結）されている。可動プーリ１８ｂはチェーン型ウェイト１９の上側に分離可能に設けられている。このようにガイドレール３内に可動プーリ１８ｂやチェーン型ウェイト１９などを収納することによって、設置箇所を別途設けなくてもよい。この実施例では、可動プーリ１８ｂ及びチェーン型ウェイト１９がガイドレール３内に収納され、そこを上下方向に移動するので、設置箇所を別途設ける必要もない。また、コード１１ａがガイドレール３に対して所定の角度を持って座板スイッチ１０に接続されているので、シャッターカーテン２とガイドレール３との間で接触干渉するおそれがなくなり、安定した障害物検知を行なうことができるようになる。
【００２５】
図４は、開閉体案内装置の詳細構成を示す図であり、図４（Ａ）は、図３の開閉体案内装置を裏側から見た図であり、図４（Ｂ）は、図４（Ａ）を左側から見た側面図であり、図４（Ｃ）は、図４（Ａ）を上側から見た上面図である。開閉体案内装置は、４個の押しコロ４１〜４４と、これらの押しコロ４１〜４４を回転可能に保持するＵ字部材４５，４６と、このＵ字部材４５，４６の結合された幅広のＬ字型の取付部材４７とから構成される。取付部材４７には、ボルト取り付け用のＵ字形の切り込みが設けられている。この切り込みを介してボルトとナットによってまぐさ部９へ取り付けられるようになっている。図３では、レール３の上端部と押しコロ４１の上面側とがほぼ一致するように設けられているが、押しコロ４１の位置は巻取りシャフト５に巻き取られるシャッターカーテン２との関係によって調整されるものである。
【００２６】
押しコロ４１〜４４は、回転軸の両側をＵ字部材４５，４６に回転自在に取り付けられている。一つのＵ時部材４５，４６が２段ローラと同様に２段コロを構成している。押しコロ４１，４２と押しコロ４３，４４とでは、その回転軸の位置が図４（Ａ）に示すように上下（シャッターカーテン２の開閉方向と同方向）にずれて配置されている。すなわち、押しコロ４１，４２の回転軸のほぼ中間付近に押しコロ４３の回転軸が位置するように押しコロ４３，４４は下側にずれて配置されている。このように互いに上下方向にずれた位置に押しコロ４１〜４４を配置することによって、シャッターカーテン２の連結用カール部の間に押しコロ４１〜４４が入り込まないようにしている。また、開閉体案内装置３５，３６をこのように構成することによって、小型化が可能となり、この実施の形態のように、開閉体案内装置３５，３６をまぐさ部９付近に取り付けることが可能となる。
【００２７】
図４では、押しコロ４１，４２の回転軸の中間位置よりも若干コロ４２側に押しコロ４３の回転軸が位置するように配置し、押しコロ４１の回転軸と押しコロ４３の回転軸との間の距離及び押しコロ４２の回転軸と押しコロ４４の回転軸との間の距離よりも押しコロ４３の回転軸と押しコロ４２の回転軸との間の距離が小さくなるようにしている。これによって、押しコロ４１〜４４のほぼ中央付近をシャッターカーテン２の連結用カール部が通過した場合に円滑な案内を行なうことが可能となる。なお、上述の両者間の距離は逆に大きくなるように構成してもよいことはいうまでもない。また、４個の押しコロ４１〜４４で構成することによって比較的押しコロ自体の直径を小さくすることができるので、図３に示すようにシャッターカーテン２とまぐさ部９との間の狭い空間に押しコロ４１〜４４からなる開閉体案内装置３６を配置することが可能となる。さらに、押しコロ４１，４２と押しコロ４３，４４とのずれの関係は上下逆になっていてもよい。
【００２８】
図５は、シャッターカーテン２が上昇して、開閉体案内装置３６とコロ当て板部材３０とが接触した状態を示す図である。図５に示すように、コロ当て板部材３０と開閉体案内装置３６の押しコロ４４が接触するので、コロ当て板部材３０と開閉体案内装置３６との接触位置を調整することによって、座板１０をまぐさ９のほぼ中央付近に収納することが可能となる。また、コード１１ａの先端に設けられたコネクタ１１ｄ及びマイクロスイッチ１０５に接続されているコード１０６のコネクタは、コロ当て板部材３０とシャッターカーテン２との間の空間内に配設されているので、押しコロ４１〜４４と接触干渉するおそれがなく、安全である。
【００２９】
図６は、図２のチェーン型ウェイト１９の変形例を示す図である。図２のチェーン型ウェイト１９は、１本のチェーン両端を可動プーリ１８ｂに接続しているが、図６の変形例では、複数本のチェーン６１〜６３の端部を可動プーリ６０に接続している。このように可動プーリ６０への接続本数を増減することによって、チェーン型ウェイトの重量を適宜調整することが可能となる。
【００３０】
上述の実施の形態では、開閉体手段であるシャッターカーテンが下降しながら繰り出されて閉鎖するシャッター装置を例に説明したが、これ以外にも開閉部材が横引き方式で繰り出されたり、上昇方式で繰り出されたり、あるいは水平方式や斜め方式で繰り出されたりするものであっても同様に適用することができる。開閉体装置としては、例えば、シャッター装置、ブラインド装置、ロールスクリーン装置、垂れ幕装置、防潮板装置などがある。開閉体装置をシャッター装置とした場合、開閉手段である開閉部材は、シャッターカーテンであり、その構成は、多数の短冊状のスラット材からなるスラットカーテン、多数のパイプ材をリンク材などで連結させてなるパイプグリルカーテン、一枚状あるいは多数連結されたパネル材からなるパネルカーテン、ネット材からなるネットカーテン、合成樹脂あるいは布繊維製のシート材からなるシートカーテン、あるいはこれらの複合部材などからなる複合カーテンなどによるものである。また、開閉体手段である開閉部材の材質は、使用目的に応じたものであれば、どのようなものでもよい。具体的には、金属製、木製、プラスチック製、布製、これらの複合されたものなどで構成することができる。
【００３１】
上述の実施の形態では、検出手段として座板スイッチを例に説明したが、この座板スイッチは障害物に当接することによって障害物を検出するものであるが、これ以外に非当接にて障害物を検出可能なものでもよい。例えば、非当接にて障害物を検出するものとして、開閉手段の両側に赤外光の発光素子と受光素子を設け、赤外光が遮断された場合に障害物を検出するようなものなどがある。また、検出手段は、シャッターカーテンの開閉位置を検出するものであったり、シャッターカーテン自身の温度を検出する熱感知器やシャッターカーテンの施錠、解錠状態を検出するものなどでもよい。さらに、コロ当て板部材３０とシャッターカーテンとの間の空間に、危険防止用・起動用・防犯用等の光電管センサの光軸を通すようにしてもよい。このときの光軸の方向は上下方向や横方向、斜め方向のいずれでもよい。
【００３２】
上述の実施の形態では、開閉体案内装置３５，３６をガイドレール３，４の近傍２箇所に設ける場合について説明したが、中央付近の１箇所に設けるようにしてもよい。上述の実施の形態では、開閉体案内装置３５，３６が２段構成の押しコロ２列で構成された場合について説明したが、２段以上の押しコロを３列以上設けるようにしてもよいし、３段以上の押しコロを２列以上設けるようにしてもよい。
【図面の簡単な説明】
【００３３】
【図１】本発明に係るシャッター装置の概略構成を示す図である。
【図２】図１を開口面の垂直方向から見てその一部分を拡大して示した正面図である。
【図３】図２を右側から見た側面図であり、シャッターカーテンと開閉体案内装置との位置関係を示す図である。
【図４】開閉体案内装置の詳細構成を示す図であり、図４（Ａ）は、図３の開閉体案内装置を裏側から見た図であり、図４（Ｂ）は、図４（Ａ）を左側から見た側面図であり、図４（Ｃ）は、図４（Ａ）を上側から見た上面図である。
【図５】シャッターカーテンが上昇して、開閉体案内装置とコロ当て板部材とが接触した状態を示す図である。
【図６】図２のチェーン型ウェイトの変形例を示す図である。
【符号の説明】
【００３４】
１…シャッターケース
２…シャッターカーテン
３，４…ガイドレール
５…巻取シャフト
６…チェーン
７…開閉機
８…制御装置
９…まぐさ
１０…座板スイッチ
１１ａ〜１１ｃ…コード
１８ａ…固定プーリ
１８ｂ…可動プーリ
１９…チェーン型ウェイト
２０…コード固定板
２１…床面
３０…コロ当て板部材
３５，３６…開閉体案内装置
【図１】
2006200161.tif 000003
【図２】
2006200161.tif 000004
【図３】
2006200161.tif 000005
【図４】
2006200161.tif 000006
【図５】
2006200161.tif 000007
【図６】
2006200161.tif 000008